(57)【要約】【課題】立ち上がるのが極めて容易なリクライニング椅子を提供する。【解決手段】座部フレーム４と背部フレーム２とを有し、背部フレーム２が座部フレーム４の後端に傾動自在に取り付けられたリクライニング椅子であって、座部フレーム４の後端が前端よりも高い位置となるよう座部全体を傾動させるエアバッグ１１，１２と、座部フレーム４の傾動動作に連動して背部フレーム２を後方（矢印Ａ２方向）へ傾動させる空気シリンダ６とを備えている。【選択図】　　　　図３
2004141247.tif 000002
【特許請求の範囲】
【請求項１】
座部と背部とを有し、前記背部が前記座部の後端に傾動自在に取り付けられたリクライニング椅子であって、
前記座部の後端が前端よりも高い位置となるよう座部全体を傾動させる座部駆動手段と、前記座部の傾動動作に連動して前記背部を傾動させる背部駆動手段と、を備えたことを特徴とするリクライニング椅子。
【請求項２】
請求項１に記載のリクライニング椅子において、
前記背部および前記座部のうち少なくとも一方には、マッサージ機構が設けられていることを特徴とするリクライニング椅子。
【請求項３】
請求項１に記載のリクライニング椅子において、
前記背部駆動手段は、前記座部が傾動したとき、前記座部と前記背部とのなす角度が大きくなる方向に前記背部を傾動させることを特徴とするリクライニング椅子。
【発明の詳細な説明】
【０００１】
【発明の属する技術分野】
本発明は、背部を任意の角度に倒すことのできるリクライニング椅子に関する。
【０００２】
【従来の技術】
一般にリクライニング椅子は、座部と背部とを有し、背部が座部の後端に傾動自在に取り付けられ、例えば座部の側端に取り付けられた操作レバーを使用者が操作することにより、背部を任意の角度に倒すことができるように構成されている。
【０００３】
また、背部や座部にマッサージ機構が設けられたマッサージ装置付きのリクライニング椅子もある。このようなリクライニング椅子には、背部の角度を調整するための操作ボタンが設けられ、その操作ボタンを使用者が操作して、背部を任意の角度に調整できるようになっている（例えば、特許文献１参照）。
【０００４】
【特許文献１】
特開２０００−６０６７７号公報
【０００５】
【発明が解決しようとする課題】
ところで、リクライニング椅子は、一般に、座部の後端が前端よりも若干低く座部全体は傾斜して設けられている。このように構成すれば、使用者はゆったりとした格好で座ることができるため、充実したリラックス感を味わうことができる。
【０００６】
しかしながら、上記のように座部全体が傾斜して設けられていると、使用者は座ったときにお尻が沈み込んでしまうため、椅子から立ち上がろうとするときには、肘掛に腕をかけて腕の力で体を支えながら立ち上がらなければならず、特に、腕の力が衰えた老人などは立ち上がるのが非常に大変であるという欠点がある。
【０００７】
本発明の課題は、立ち上がるのが極めて容易なリクライニング椅子を提供することにある。
【０００８】
【課題を解決するための手段】
上記課題を解決するために、本発明は、座部と背部とを有し、前記背部が前記座部の後端に傾動自在に取り付けられたリクライニング椅子であって、前記座部の後端が前端よりも高い位置となるよう座部全体を傾動させる座部駆動手段と、前記座部の傾動動作に連動して前記背部を傾動させる背部駆動手段とを備えたことを特徴としている。
【０００９】
上記構成において、使用者は立ち上がる際に座部駆動手段を駆動する。すると、座部駆動手段は駆動して、座部の後端が前端よりも高い位置となるよう座部全体を傾動させる。その結果、使用者はお尻の高さが膝よりも高くなるので、椅子から容易に立ち上がることができる。またこのとき、座部の前方への傾動動作に連動して背部駆動手段が背部を後方へ傾動させるようにすれば、使用者は立ち上がる際に背中が背部に引っ掛かることもなく、極めて容易に立ち上がることが可能となる。
【００１０】
【発明の実施の形態】
以下、本発明の実施の形態を図面に従って説明する。
（実施の形態１）
図１は、本発明に係るリクライニング椅子の概略構成を示した分解斜視図である。本リクライニング椅子１は、図１に示すように、縦長の略四角形状をなした背部フレーム２を有し、この背部フレーム２の下部にヒンジ３を介して座部フレーム４が設けられている。背部フレーム２はヒンジ３のピン３Ａを中心にして矢印Ａ１，Ａ２方向に傾動自在である。
【００１１】
座部フレーム４は、椅子の前後方向に配置された２本のサイド部材４Ａと、サイド部材４Ａ間に設けられた３本のクロス部材４Ｂと、クロス部材４Ｂの下側に設けられた補強部材４Ｃとを備えている。サイド部材４Ａには、ピン５を介して背部駆動手段としての空気シリンダ６が取り付けられている。この空気シリンダ６は座部フレーム４の両サイドに設けられている。空気シリンダ６はロッド６Ａを有し、このロッド６Ａの先端は、背部フレーム２の下部突出部２Ａにピン７で連結されている。
【００１２】
また、基礎部８が設けられている。この基礎部８は箱型の骨組み構造をなす脚部フレーム９を有し、この脚部フレーム９中央の空間内に駆動部１０が設けられている。脚部フレーム９の上部には、前側に座部駆動手段としてのエアバッグ１１が、中央に同じく座部駆動手段としてのエアバッグ１２が取り付けられ、さらに脚部フレーム８の上部後端には緩衝材１３が取り付けられている。エアバッグ１１とエアバッグ１２は膨らんだときの容積が互いに異なっており、図３に示すように、エアバッグ１２はエアバッグ１１よりも大きく膨らむ。
【００１３】
基礎部８の上部には、図２に示すように、ピン１４を介して座部フレーム４が矢印Ｂ方向に回動（傾動）自在に取り付けられている。通常の使用状態においては、図に示すように、座部フレーム４は基礎部８の上に載置され、エアバッグ１１，１２および緩衝材１３の上面は座部フレーム４の補強部材４Ｃの下面側に接触している。なお、着座部１５は座部フレーム４の上面に固定される。
【００１４】
駆動部１０の内部には、図４に示すようなポンプ１６と制御部１７が設けられている。ポンプ１６の吐出側には配管１８が取り付けられ、この配管１８は空気シリンダ６に接続されている。また、配管１８の途中には配管１９，２０が設けられ、配管１９はエアバッグ１０に、配管２０はエアバッグ１２にそれぞれ接続されている。配管１９にはエアバッグ１１を挟んで給気電磁弁２１と排気電磁弁２２が、配管２０にはエアバッグ１２を挟んで給気電磁弁２３と排気電磁弁２４がそれぞれ設けられている。また、配管１８には空気シリンダ６を挟んで給気電磁弁２５と排気電磁弁２６が設けられている。
【００１５】
また、制御部１７には操作部２７が電気的に接続されている。この操作部２７には、図示してないが、利用者がリクライニング椅子を操作するための操作ボタン等が設けられている。
【００１６】
空気シリンダ６は、図５に示すように、シリンダ６Ｂと、シリンダ６Ｂ内に設けられたピストン６Ｃと、ピストン６Ｃに固定されたロッド６Ａと、シリンダ６Ｂ内でピストン６Ｃをロッド６Ａと共に矢印Ｃ方向に付勢するコイルバネ６Ｄとを備えている。そして、シリンダ６Ｂ内のシリンダ室６Ｅに加圧空気が供給されると、ピストン６Ｃはコイルバネ６Ｄの付勢力に抗して矢印Ｂ方向とは反対方向に移動する。
【００１７】
次に、上記構成のリクライニング椅子１の動作について説明する。
通常、本リクライニング椅子１に利用者が座っているときは、図２に示すように、エアバッグ１１，１２には空気が供給されておらずエアバッグ１１，１２は収縮しているので、座部フレーム４は、その底面が脚部フレーム９上の緩衝材１３に当接して、基礎部８の上に安定に支持される。
【００１８】
利用者が立ち上がるとき、利用者は操作部２７（図４参照）上の図示していない立上がりボタンを操作する。立上がりボタンを操作すると、操作部２７から信号が出力され、その信号は制御部１７に入力される。制御部１７は、操作部２７からの信号が入力されると、排気電磁弁２２，２４，２６を閉じるとともに、給気電磁弁２１，２３，２５を開いて、さらにポンプ１６を駆動する。
【００１９】
ポンプ１６を駆動すると、ポンプ１６で加圧された空気が、配管１８，１９と給気電磁弁２１を介してエアバッグ１１に、また配管１８，２０と給気電磁弁２３を介してエアバッグ１２にそれぞれ供給され、エアバッグ１１，１２は膨らむ。エアバッグ１２はエアバッグ１１よりも大きく膨らむので、座部フレーム４は図３のようにピン１４を中心にして回動（傾動）する。そして、座部フレーム４は後端が前端よりも高い位置となる。
【００２０】
また、ポンプ１６で加圧された空気は、配管１８と給気電磁弁２５を介して空気シリンダ６に送られて、シリンダ６Ｂ内のシリンダ室６Ｅに供給される。すると、シリンダ室６Ｅ内の空気圧が高くなるので、ピストン６Ｃはコイルバネ６Ｄの付勢力に抗してピストン６Ｃが矢印Ｃ方向とは反対方向に移動し、ロッド６Ａを引っ張る。これにより、背部フレーム２は、図３に示すように矢印Ａ２方向（後方）に傾動する。なお、座部フレーム４と背部フレーム２が所定角度傾動したら、ポンプ１６は停止する。
【００２１】
エアバッグ１１，１２を膨らまして座部フレーム４を傾動させた際に、背部フレーム２を矢印Ａ２方向に傾動させないでいると、背部フレーム２は座部フレーム４の傾動に伴って、図３に二点鎖線で示す位置にきてしまい、背部が邪魔をして非常に立ち上がりにくくなる。
【００２２】
本実施の形態のように、座部フレーム４の傾動に連動して背部フレーム２をＡ２方向に傾動させると、立ち上がる際に背部が邪魔をすることもない。本実施の形態では、利用者が座っているときの背部フレーム２と座部フレーム４とのなす角度θ１とし（図２参照）、立ち上がる際の背部フレーム２と座部フレーム４とのなす角度をθ２とすれば（図３参照）、
θ１＜θ２
に設定されている。
【００２３】
利用者は立ち上がったら、操作部２７（図４参照）上の図示していない戻しボタンを操作する。戻しボタンを操作すると、操作部２７から信号が出力され、その信号は制御部１７に入力される。制御部１７は、操作部２７からの信号が入力されると、給気電磁弁２１，２３，２５を閉じるとともに、排気電磁弁２２，２４，２６を開く。これにより、エアバッグ１１，１２内の空気が排気され、また空気シリンダ６ではシリンダ室６Ｅ内の空気圧が低下して、コイルバネ６Ｄの付勢職によってピストン６Ｃが押されるので、ロッド６Ａが進出する。その結果、座部フレーム４は後端が前端よりも低い元の位置に戻るとともに、背部フレーム２も少しＡ１方向に回動して元の位置に戻る。
【００２４】
本実施の形態によれば、座部フレーム４は後端が前端よりも高い位置となるよう座部フレーム４全体が傾動し、さらに座部フレーム４の傾動動作に連動して背部フレーム２が後方に傾動するので、利用者は容易に立ち上がることができる。
【００２５】
なお、座部フレーム４を傾動させる方法としては、エアバッグに限らずリンク機構を用いても実現できる。また、座部フレーム４に連動させて背部フレーム２を傾動させる方法もリンク機構を用いて実現できる。
【００２６】
（実施の形態２）
次に、実施の形態２について説明する。本実施の形態のリクライニング椅子５０には、図６に示すように、マッサージ機構５１〜５４が設けられている。マッサージ機構５１は利用者の首部を、マッサージ機構５２は利用者の背中を、マッサージ機構５３は利用者の腰部を、マッサージ機構５４は利用者の脚部をそれぞれマッサージする。そして、マッサージ機構５１〜５３は、背部フレーム２に固定された背もたれ本体５５に設けられている。また、マッサージ機構５４は基礎部８の前部に配置されている。なお、マッサージ機構５１〜５４と背もたれ本体５５以外の構成は実施の形態１の場合と同様である。
【００２７】
上記構成において、エアバッグ１１，１２と空気シリンダ６に加圧空気を送ると、図７に示すように、座部フレーム２はピン１４を中心にして回動（傾動）して後端が前端よりも高い位置となり、また背部フレーム２と共に背もたれ本体５５が後方へ傾動する。このため、利用者はマッサージ終了後に容易に立ち上がることができる。
【００２８】
【発明の効果】
以上説明したように、本発明によれば、座部の後端が前端よりも高い位置となるよう座部全体が傾動し、さらに座部の傾動動作に連動して背部も傾動するので、立ち上がるのが極めて容易なリクライニング椅子を実現できる。
【図面の簡単な説明】
【図１】実施の形態１によるリクライニング椅子の概略構成を示した分解斜視図である。
【図２】図１のリクライニング椅子に利用者が座ったときの状態を示した図である。
【図３】図１のリクライニング椅子から利用者が立ち上がるときの状態を示した図である。の側面図である。
【図４】リクライニングさせるための駆動系の系統図である。
【図５】空気シリンダの内部構成図である。
【図６】実施の形態２によるリクライニング椅子を示し、利用者が座ったときの状態を示した図である。
【図７】図６のリクライニング椅子から利用者が立ち上がるときの状態を示した図である。
【符号の説明】
１　リクライニング椅子
２　背部フレーム
４　座部フレーム
６　空気シリンダ（背部駆動手段）
８　基礎部
９　脚部フレーム
１０　駆動部
１１，１２　エアバッグ（座部駆動手段）
１３　緩衝材
１５　着座部
１６　ポンプ
１７　制御部
２７　操作部
５０　リクライニング椅子
５１〜５４　マッサージ機構
５５　背もたれ本体
【図１】
2004141247.tif 000003
【図２】
2004141247.tif 000004
【図３】
2004141247.tif 000005
【図４】
2004141247.tif 000006
【図５】
2004141247.tif 000007
【図６】
2004141247.tif 000008
【図７】
2004141247.tif 000009